(57)【要約】【課題】読み取り原稿が片面原稿若しくは両面原稿である場合、およびサイズの異なる原稿を混載した場合において、効率よく原稿の読み取りができ、生産性の著しく高い画像読取装置および画像形成装置を提供する。【解決手段】この画像読取装置は、読み取り原稿Ｓ１を搬送機構２１〜２５により送りながら原稿画像の読み取りを行う画像読取装置であり、第１の読取部１１により原稿Ｓ１の表面Ｓ１−１を読み取り、第１の読取部１１で読み取られた原稿Ｓ１を第１の反転ローラ対２７により反転搬送し、第１の読取部１１の下流側に配置された第２の読取部により原稿Ｓ１の裏面Ｓ１−２を読み取る。【選択図】図１
2006276868.tif 000002
【特許請求の範囲】
【請求項１】
原稿を載置する原稿台と、原稿を搬送しながら原稿画像の読み取りを行う複数の読取部と、排紙される原稿を積載する排紙トレイと、を備えてなる画像読取装置において、
前記複数の読取部は、第１の読取部と該第１の読取部の下流側に配置された第２の読取部とからなると共に、原稿が搬送される搬送路の片方側に配置され、
前記第１の読取部と前記第２の読取部の間に前記原稿を反転せしめる第１の反転搬送ローラ対を有する反転搬送路を設け、
前記第１の読取部では前記原稿の一面の原稿画像を読み取り、前記第２の読取部では前記第１の反転搬送ローラ対にて反転された後の前記原稿の、前記第１の読取部により読み取られる一面とは反対の他面の原稿画像を読み取る制御手段を有することを特徴とする画像読取装置。
【請求項２】
前記制御手段は、複数枚の原稿の異なる面の原稿画像をそれぞれ前記第１の読取部および前記第２の読取部により同時に読み取るように制御することを特徴とする請求項１に記載の画像読取装置。
【請求項３】
前記第２の読取部と前記排紙トレイの間に原稿を反転せしめる第２の反転搬送ローラ対を設けてなることを特徴とする請求項１または請求項２に記載の画像読取装置。
【請求項４】
前記第２の読取部が原稿固定走査のための読取部を兼ねることを特徴とする請求項１乃至請求項３の何れか１項に記載の画像読取装置。
【請求項５】
請求項１乃至請求項４の何れか１項に記載の画像読取装置と、前記画像読取装置で読み取られた画像データに基づき画像形成する画像形成装置本体とを備えてなることを特徴とする画像形成装置。
【発明の詳細な説明】
【技術分野】
【０００１】
本発明は、原稿の画像を読み取るためのシートスルータイプの画像読取装置及び画像形成装置に関するものである。
【背景技術】
【０００２】
従来、原稿の画像を読み取るスキャナには、原稿を移動させながら固定された読取部で読み取りを行うシートスルータイプと、静止した原稿に対し読取部を移動させながら読み取りを行うベルト方式のＡＤＦタイプがあるが、ベルト方式の構成は読取装置の本体側の負荷が大きくなるために、シートスルータイプが一般的である。
【０００３】
また、シートスルータイプのスキャナで両面原稿を読み取ることができるようにするために、原稿を循環させて両面を１つの読取部で読み取る方法と、１つの通紙パスで相反する面（両面）を同時に読み込めるように対向させた位置に読取部を２個配置して読み取る方法がある。この場合、両面同時読み取りモード以外の片面原稿の読み取りモード等では、生産性が低くなってしまう。
【０００４】
更に、カラー原稿の読み取りを可能とする画像読取装置においては、カラー原稿とモノクロ原稿に対して異なる読み取り条件とすることが好ましい。一般的に、カラー原稿の読み取りにおいては、モノクロ原稿に比べて詳細な読み取りを行わねばならないため、モノクロ原稿の読み取り速度より、読み取り速度を遅くする必要がある。全ての原稿に対して、カラー原稿の読み取り速度を適用することで、モノクロ原稿とカラー原稿を問わず読み取りを可能とすることができるものの、モノクロ原稿の読み取り速度をカラー原稿の読み取り速度に合わせるため読み取り速度が遅くなってしまう。このため、画像読取装置では、予めモノクロ原稿かカラー原稿かを判別し、それぞれに適した読み取り条件で読み取りを行うようにすればモノクロ原稿の読み取り速度の低下という問題を解消できる。
【０００５】
上記した問題に対して従来においては、操作表示部からの選択によるモードに従った読み取りが行われている。この場合においては、ユーザが原稿の種別を選択指示しなければならず、煩わしく使い勝手に劣るものとなっていた。
【０００６】
一方、原稿固定走査タイプでは、原稿をプラテン上に送り込んで静止（固定）せしめてから、予め原稿種別を判定するための予備走査（「プレスキャン」とも称す）を行って原稿種別を判定した後に、原稿画像の読み取り（「本スキャン」とも称す）を行っていた。この場合においては、原稿を停止して静止するためにその停止期間だけ読み取り速度の遅延を発生してしまう。
【０００７】
他方、前述の原稿固定走査タイプに対して原稿移動走査タイプにて、モノクロ原稿とカラー原稿とを混載した原稿群からそれぞれの原稿種別を判別する方法としては、予め原稿群を循環せしめてそれぞれの原稿種別を判定するという判別工程を行った後に、それぞれの原稿に対応したモノクロ原稿又はカラー原稿に対応した読み取り条件にて原稿の読み取りを行うという方法が適用できるが、１つの読取部しか有さないときには原稿を循環して２回読取部に搬送しなければならず読み取りに時間を要していた。
【０００８】
更にまた、サイズの異なる原稿を混載した原稿群からそれぞれの原稿サイズを判別して読み取りを行う場合にも、前記と同様に予め原稿群を循環せしめてそれぞれの原稿サイズを判定するというサイズ判別工程を行った後に、それぞれの原稿サイズに対応した読み取り条件にて原稿の読み取りを行うという方法が適用され、原稿を循環して２回読取部に搬送しなければならず読み取りに時間を要していた。
【発明の開示】
【発明が解決しようとする課題】
【０００９】
本発明は、上述のような従来技術の問題に鑑み、読み取り原稿が両面原稿である場合において、効率よく原稿の読み取りができ、生産性の著しく高い画像読取装置および画像形成装置を提供することを目的とする。
【課題を解決するための手段】
【００１０】
上記目的を達成するために、本発明による画像読取装置は、原稿を載置する原稿台と、原稿を搬送しながら原稿画像の読み取りを行う複数の読取部と、排紙される原稿を積載する排紙トレイと、を備えてなる画像読取装置において、前記複数の読取部は、第１の読取部と該第１の読取部の下流側に配置された第２の読取部とからなると共に、原稿が搬送される搬送路の片方側に配置され、前記第１の読取部と前記第２の読取部の間に前記原稿を反転せしめる第１の反転搬送ローラ対を有する反転搬送路を設け、前記第１の読取部では前記原稿の一面の原稿画像を読み取り、前記第２の読取部では前記第１の反転搬送ローラ対にて反転された後の前記原稿の、前記第１の読取部により読み取られる一面とは反対の他面の原稿画像を読み取る制御手段を有することを特徴とする。
【００１１】
この画像読取装置によれば、複数枚の原稿を第１の読取部及び第２の読取部で両面の画像を読み取ることができるので、両面原稿について効率よく読み取りを行うことができ、生産性が向上する。
【００１２】
また、複数枚の原稿の異なる面の原稿画像をそれぞれ第１の読取部および第２の読取部によりほぼ同時に読み取ることが好ましく、複数枚の両面原稿について効率よく読み取りを行うことができる。
【００１３】
前記第２の読取部と前記排紙トレイの間に原稿を反転せしめる反転搬送ローラ対を設けることが好ましい。前記反転搬送路で反転した原稿を再度反転させることにより、読み取り前の状態で原稿を排出することができる。
【００１４】
また、前記第２の読取部が原稿固定走査のための読取部を兼ねることにより、本、書籍などの原稿を読み取る場合にも対応できる。
【００１５】
また、本発明による画像形成装置は、上述の画像読取装置と、前記画像読取装置で読み取られた画像データに基づき画像形成する画像形成装置本体とを備えてなることを特徴とする。
【００１６】
この画像形成装置によれば、原稿が両面原稿である場合において、効率よく原稿の読み取りができるので、効率よく画像を形成することができ、生産性を向上できる。
【発明の効果】
【００１７】
本発明によれば、読み取り原稿が両面原稿である場合おいて、効率よく原稿の読み取りができ、生産性の著しく高い画像読取装置および画像形成装置を提供できる。
【発明を実施するための最良の形態】
【００１８】
以下、本発明による実施の形態について図面を用いて説明する。図１は本発明の実施の形態による画像読取装置を概念的に示す側面図である。
【００１９】
図１に示すように、この画像読取装置は、シート状の読み取り原稿を載置する原稿台２０と、原稿を読み取りのために原稿台２０から装置内へ１枚づつ送り込む給送ローラ１９と、原稿を搬送する第１の搬送ローラ対２１と、第１の搬送ローラ対２１から送られた原稿Ｓの一面Ｓ１（図１では上面）の原稿画像を読み取る第１の読取部１１と、第１の読取部１１で読み取られた原稿を送る第２の搬送ローラ対２２と、第２の搬送ローラ対２２により原稿Ｓを図の下側に案内する大サイズ用搬送路３１及び小サイズ用搬送路３２と、大サイズ用搬送路３１の中程に設けられた搬送ローラ対２６と、大サイズ用搬送路３１または小サイズ用搬送路３２に案内されて搬送された原稿を搬送する第３の搬送ローラ対２３と、第３の搬送ローラ対２３から送られた原稿Ｓの、第１の読取部１１で読み取られる一面Ｓ１（図１では下面）と同一面側の原稿画像を読み取る第２の読取部１２と、第２の読取部１２で読み取られた原稿を送る第４の搬送ローラ対２４と、原稿を排出するため案内する排紙搬送路３６と、原稿を排出するために送り出す排紙ローラ２５と、排紙ローラ２５から排出された原稿が載置される排紙トレイ３０とを備えている。
【００２０】
また、画像読取装置は、第２の搬送ローラ対２２から送られた原稿が小サイズ用搬送路３２の一部を通って原稿の表裏反転のために送られて案内する第１の反転搬送路３３と、原稿を図の右方向及び左方向の両方向に搬送するように正逆回転可能な第１の反転搬送ローラ対２７及び第３の反転搬送ローラ対２９と、第１の反転搬送ローラ対２７から送られた原稿を第１の読取部１１に循環せしめるように案内する第１の循環搬送路３４と、第２の読取部１２で読み取られて第４の搬送ローラ対２４から送られた原稿を第３の反転搬送ローラ対２９へ案内する第２の循環搬送路３５と、第４の搬送ローラ対２４から送られた原稿の表裏を反転して排紙トレイ３０へ排出するための反転排紙経路３７と、正逆回転可能な第２の反転搬送ローラ対２８とを備えている。
【００２１】
更に、画像読取装置は、第２の読取部１２および走査読取部１３を備えている。第２の読取部１２は、第１のプラテンガラス１４と、該第１のプラテンガラス１４の直下の位置に静止固定されて原稿画像を読み取る光学系１６と、結像光学系５５と、ＣＣＤ撮像素子５６とから構成される。第２の読取部１２の多数の部材は走査読取部を兼ねており、走査読取部１３は、第２のプラテンガラス１５と、該第２のプラテンガラス上に載置された原稿の原稿画像を走査して読み取る光学系１６’と、結像光学系５５と、ＣＣＤ撮像素子５６とから構成されている。
【００２２】
第２の読取部１２での原稿Ｓの読み取りは、プラテンガラス１４上を搬送されている原稿Ｓの原稿画像面に光源５１から光が照射され、その反射光はミラー５２、５３、５４によって案内され、その反射光が結像光学系５５を介してＣＣＤ撮像素子５６に取り込まれ、これによりＣＣＤ撮像素子５６の受光面に原稿画像が結像されて読み取られる。
【００２３】
また、走査読取部１３での原稿Ｓの読み取りは、プラテンガラス１５上に載置されて静止した状態の原稿を、プラテンガラス１５に沿って図示ｆの方向に光学系１６’を走査しながら光源５１’から光を照射することにより、以降は上記第２の読取部と同様にしてＣＣＤ撮像素子５６により原稿画像が読み取られる。
【００２４】
第１の読取部１１の読み取りにおいては、発光ダイオ−ドと受光素子とを組み合わせたコンパクトイメ−ジセンサ（ＣＩＳ）を用い、第２の読取部１２および走査読取部１３においては、ハロゲンランプからなる光源５１とＣＣＤ撮像素子５６を組み合わせて用いているが、光源５１とＣＣＤ撮像素子５６を、第１の読取部１１と同様の発光ダイオ−ドと受光素子とを組み合わせたコンパクトイメ−ジセンサ（ＣＩＳ）を用いてもよい。
【００２５】
各搬送ローラ対２１〜２５はモータ６５（図７）とともに搬送機構を構成し、モータ６５により回転駆動される各搬送ローラ対２１〜２５の回転速度を切り替えることによって原稿を搬送する速度を変えることができ、また、第１の読取部１１及び第２の読取部１２における原稿の搬送速度、即ち、読み取り速度を制御することができる。このような搬送速度の切替を行うために、少なくともローラ対２１，２２と、ローラ対２３，２４とは、独立して駆動できるように構成されている。
【００２６】
また、図１に示す画像読取装置は、図２〜図５に示すような各動作を行うために、各搬送路３１〜３７に原稿の搬送方向を変えるように搬送方向切替機構を備えているが、代表例として、第２の搬送ローラ対２２の下流側に配置した搬送方向切替部材４０を図６により説明する。図６の搬送方向切替部材４０は、切替ガイド４１と回動軸４２とにより構成され、切替ガイド４１が図の回動方向ｒ、ｒ’に回動し経路を切り替えて、シート状の原稿Ｓを大サイズ用搬送路３１または小サイズ用搬送路３２に案内するようになっている。切替ガイド４１が方向ｒ’に回動した状態では図６（ａ）のように原稿Ｓは小サイズ用搬送路３２に案内され、方向ｒに回動した状態では図６（ｂ）のように大サイズ用搬送路３１に案内される。切替ガイド４１の切替動作はソレノイド、モータ（図示省略）等により回動軸４２を適切なタイミングで作動させて行われる。同様に、搬送路３５と搬送路３６とを切り替えるための搬送方向切替部材４３、及び搬送路３６と反転排紙経路３７とを切り替えるための搬送方向切替部材４４が設けられている。
【００２７】
図７は本実施の形態における画像読取装置および画像形成装置における読み取られた画像データと制御信号の流れおよび制御部のブロック図である。ここで実線は画像データの流れを、破線は制御信号の流れを示している。第１の読取部１１、又は第２の読取部１２若しくは走査読取部１３で読み取られた原稿の画像データは第１の画像処理部５７又は第２の画像処理部５８にて、データ変換処理、補正処理、圧縮処理、カラー画像処理等の画像処理が施された後に、メモリに記憶される。ここで第１の画像処理部５７および第２の画像処理部５８において、第１読取部ではＣＩＳで読み取られ、第２の読み取り部ではＣＣＤ撮像素子で読み取られた場合には、それぞれ異なる画像処理が施され、同種の画像データに変換されてメモリ５９に記憶されることが好ましい。それぞれ同種のＣＩＳが用いられた場合は、第１の画像処理部５７および第２の画像処理部５８において同一の画像処理を施してもよい。
【００２８】
画像形成においては、メモリ５９の画像データが、第１の画像処理部５７又は第２の画像処理部５８を経由して、画像形成部の画像書き込み部６０に送られる。該画像書き込み部６０で感光体に静電潜像として書き込みが行われ、静電潜像が現像され、記録紙に転写および定着されて画像が形成される。
【００２９】
また、図７においては画像読取装置における原稿の搬送速度、読取速度（読み取り時の搬送速度を読取速度と称することもある）、搬送方向の切り替え、各種モード等の制御を行うブロック図を示している。第１の読取部１１で読み取られた画像データを第１の画像処理部５７にて画像処理しその出力レベルに基づいてその原稿画像がモノクロ画像であるかカラー画像であるか、或いは原稿画像がどのようなサイズであるかを判別する判別部６１と、この判別結果に基づいて第２の読取部での読み取り時の搬送速度を、モノクロ画像の場合は高速な第１の搬送速度にて、カラー画像の場合は低速の第２の搬送速度にて原稿を搬送するように制御するＣＰＵ等からなる制御部６４と、各種モードにおける制御される搬送ローラ対１９〜２９の回転駆動のためのモータ６５と、装置外部から操作が可能で片面−両面モード、モノクロ−カラーモード、混載モード等のモードを選択するためのモード選択部６７を備えた操作表示部６６、読み取りタイミングを取るための先後端原稿検知センサＫ１、Ｋ２、搬送方向を切り替えるための搬送方向切替部材４０、４３、４４とを備えている。
【００３０】
図７における制御部においては、原稿の搬送速度が制御される。原稿の読み取りにおける生産性を高くするには読み取り時以外において、読み取り時に比べて原稿を高速で搬送することが好ましい。
【００３１】
前述した効果を有する実施の態様として、原稿台から読取部までの搬送速度および読み取り後における読取部から排紙トレイ又は次の読取部までの搬送経路における搬送速度を高速とするように制御される。即ち、原稿台から読取部までを高速の第１の搬送速度で、読み取り時には中速の第２の搬送速度で、読み取り後の排紙トレイ又は次の読取部までを高速の第３の搬送速度で原稿を搬送するように制御部６４において制御する。前記高速の搬送速度である第１の搬送速度および第３の搬送速度は、同一の高速な搬送速度とすることが制御の簡略化の点で好ましい。
【００３２】
前述した読み取り時の中速の第２の搬送速度は、モノクロ原稿の場合の搬送速度を示したものであり、カラー原稿の場合には同様の第２の搬送速度を適用してもよいが、カラー原稿においてはより詳細な色分離しても十分な画像データを読み取る必要があるため、低速の第４の搬送速度とすることが好ましい。
【００３３】
また、モノクロ原稿か、カラー原稿かの画像判別のための読取速度は、前記カラー原稿の読み取りの場合の第４の搬送速度としてもよいが、色判別のための画像データを読みとれればよいので、第４の搬送速度よりは高速となる中速の第５の搬送速度とする事が好ましい。この場合、モノクロ原稿に対する第２の搬送速度を適用したり、更に色判別の画像処理が可能であればより高速の第１の搬送速度および第３の搬送速度を適用して制御の簡略化を行うことが好ましい。
【００３４】
更に又、混載原稿モード時における読取速度は、原稿サイズを判別するための外郭部分の画像データが得られれば十分であるため、読取速度を高速の第６の搬送速度とすることが好ましい。この場合、モノクロ原稿に対する第２の搬送速度を適用したり、更にサイズ検知のための画像判別が可能であればより高速の第１の搬送速度および第３の搬送速度を適用して制御の簡略化を行うことが好ましい。
【００３５】
前記第１から第６の搬送速度は、例えば第１の搬送速度を８００ｍｍ／秒、第２の搬送速度を４００ｍｍ／秒、第３の搬送速度を８００ｍｍ／秒、第４の搬送速度を３００ｍｍ／秒、第５の搬送速度を４００ｍｍ／秒、第６の搬送速度を４００ｍｍ／秒とすればよい。
【００３６】
図７において液晶タッチパネル等からなる操作表示部６６のモード選択部６７にて、両面原稿の原稿画像を読み取るための両面モード、カラー原稿のカラー原稿画像を読み取るためのカラーモード、混載原稿の各原稿毎に原稿サイズを検知して原稿画像を読み取るための混載モードを選択してモードを設定することができる。なお、前述のモード以外に片面モード、モノクロモード、同一原稿サイズモードを選択できるようにモード選択部６６に各モードを設けてもよいが、デフォルト設定しておくことにより両面モードが選択されていない場合は片面モードに、カラーモードが選択されていない場合はモノクロモードに、混載モードが選択されていない場合は同一原稿サイズモードが選択されて設定されるようにしておくことが好ましい。
【００３７】
モード選択部６７にて、両面モードが選択されて設定されると制御部６４においては、両面原稿に対応した原稿の搬送を行うように各搬送ローラを駆動するためのモータ６５を制御する。なお、デフォルト設定により両面モードが選択されていない場合は片面原稿に対応した原稿の搬送を行うように各搬送ローラを駆動するためのモータ６５を制御する。
【００３８】
モード選択部６７にて、カラーモードが選択されると制御部６４においては、カラー原稿に対応した搬送速度となるように読み取り時に第５の搬送速度で各搬送ローラを駆動するようにモータ６５および各部を制御するすると共に読み取り後においてカラー画像に適した画像処理を行うためのカラー原稿か、モノクロ原稿かを判別する画像判別がなされる。なお、デフォルト設定によりカラーモードが選択されていない場合はモノクロ原稿に対応した読取速度となるようにモノクロ原稿に対応した第２の搬送速度となるように各搬送ローラを駆動するためのモータ６５および各部を制御する。
【００３９】
前記画像判別において、カラー原稿であると判別された場合には第２の読取部でカラー原稿に対応した読み取りを行うように第４の搬送速度で搬送するように制御される。
【００４０】
前記画像判別において、モノクロ原稿であると判別された場合には第２の読取部でモノクロ原稿に対応した読み取りを行うように制御される。或いは、第１の読取部で画像判別に用いたデータを原稿の画像データとしてメモリに記憶して保持するようにしても良く、この第１の読取部でモノクロ原稿を読み取った場合の以降の原稿の搬送の制御は、モノクロモードと同様の搬送の制御を行えばよい。
【００４１】
モード選択部６７にて、混載モードが選択されると制御部６４においては、各原稿について第１の読取部１１にて第６の搬送速度で原稿を搬送して読み取りを行うと共に、読み取り後において読み取られた画像データから原稿サイズを判別し、検知された原稿サイズの情報に基づき第２の読取部１２にて、原稿サイズに対応した読み取りの制御を行うと共に読み取り時において第２の搬送速度で原稿の搬送を行うように各搬送ローラを駆動するモータ６５および各部を制御する。なお、デフォルト設定により混載モードが選択されていない場合は、同一原稿サイズに対応した原稿の搬送を行うように各搬送ローラを駆動するためのモータ６５および各部を制御する。
【００４２】
また、カラーモードにおける前記画像判別においては、カラー原稿の判別と共に原稿サイズの判別を行うことが好ましい。この場合においては、ユ−ザ−は敢えて混載モードを選択しなくてもよいため操作性の向上となる。
【００４３】
前述の画像読取装置によれば、原稿が片面原稿または両面原稿、モノクロ原稿またはカラー原稿、原稿サイズの混載、およびモノクロ原稿とカラー原稿の混載であっても、生産性の高い読み取りを行うことができる。以下原稿の各条件毎に画像読取装置の動作を図２から図５により詳細に説明する。なお、図２から図５では、図１に示されている部分で動作に使用しない部分の図示を省略している。
【００４４】
１．モノクロモードで片面原稿である場合の動作（図２）
図２に示すように、複数枚のモノクロ（白黒）原稿Ｓ１、Ｓ２の原稿画像を読み取る場合、図７の操作表示部６６のモード選択部６７にて何れのモードも選択されていないとモノクロモードで動作することととなり、原稿トレイ２０から１枚目の原稿Ｓ１を給送ローラ１９にて送り込み、第１の搬送速度で第１の読取部１１にて読み取りを行わず通過させて搬送ローラ２１、２２により搬送し、原稿Ｓ１が例えばＡ４、Ｂ５等の小サイズである場合は、図２（ａ）に示すように搬送方向切替部材４０にて搬送路３２に案内し、又は原稿Ｓ１が例えばＡ３、Ｂ４等の大サイズである場合は、搬送方向切替部材４０にて搬送路３１に案内して搬送ローラ２６で搬送し、第２の読取部１２の近傍まで搬送する。第２の読取部１２の近傍に設けられたセンサＫ２により原稿Ｓ１の先端が検知されると原稿Ｓ１の搬送速度をモノクロ原稿読み取りのための搬送速度である第２の搬送速度に切り替え、搬送ローラ２３、２４により搬送しながらセンサＫ２により原稿Ｓ１の先端が検知された情報に基づき原稿Ｓの先端位置にタイミングを合わせて第２の読取部１２にて原稿Ｓ１の一面（片面）の原稿画像を読み取る。なお、センサＫ２を設けず原稿の搬送を開始した後の所定のタイミングにて搬送速度を切り替えるようにしてもよい。このような場合のタイミングは、原稿の搬送開始からの経過時間や、駆動源として用いられる例えばステッピングモータの駆動のステップ数の情報を適用することができる。前記読み取りのタイミングとは、光源５１による露光を開始した後にＣＣＤ撮像素子により画像データの取り込みを開始するタイミングである。
【００４５】
第２の読取部１２にて一面（片面）の原稿画像が読み取られた後の原稿Ｓ１は、第２の搬送速度から第３の搬送速度に切り替えられて、搬送ローラ２４、搬送方向切替部材４３、４４により排紙搬送路３６に案内して搬送され、排紙ローラ２５にて排出されて排紙トレイ３０上に読み取られた一面が下面になるように順次積載される。
【００４６】
次の原稿Ｓ２は、前記原稿Ｓ１の搬送中に引き続いて同様に送り出され、第１の搬送速度にて第１の読取部の近傍まで搬送される。第１の読取部１１の近傍に設けられたセンサＫ１により原稿Ｓ２の先端が検知されると原稿Ｓ２の搬送速度をモノクロ原稿読み取りのための搬送速度である第２の搬送速度に切り替え、搬送ローラ２１、２２により搬送しながらセンサＫ１により原稿Ｓ２の先端が検知された情報に基づき原稿Ｓ２の先端位置にタイミングを合わせて第１の読取部１１にて原稿Ｓ２の一面（片面）の原稿画像が読み取られる。
【００４７】
第１の読取部１１にて一面（片面）の原稿画像が読み取られた後の原稿Ｓ２は、第２の搬送速度から第３の搬送速度に切り替えられて、第２の読取部１２で読み取りを行わずに通過させて原稿Ｓ１と同様に排紙トレイ３０上に読み取られた一面が下面になるように排紙されて前記原稿Ｓ１の上に順次積載される。
【００４８】
上述した複数の原稿Ｓ１、Ｓ２の読み取りにおいては、ほぼ同時に読み取りが実行されるように原稿Ｓ１、Ｓ２の搬送が制御される。即ち、先の原稿である原稿Ｓ１が第２の読取部１２の近傍に到達すると同じ時刻に、後の原稿である原稿Ｓ２が第１の読取部１１の近傍に到達するように搬送が制御される。このような搬送を行うためには、先の原稿Ｓ１の搬送を開始した後に、所定の原稿間隔となるように先の原稿Ｓ１の搬送を開始してから所定の時間が経過した後に次の原稿Ｓ２の搬送を開始するように搬送を制御すればよい。
【００４９】
更に原稿Ｓ２に引き続く次の原稿Ｓ３は、原稿Ｓ２の搬送中に引き続いて所定の原稿間隔となるように先の原稿Ｓ２の搬送を開始してから所定の時間が経過した後に送り出され、原稿Ｓ１と同様に搬送するように制御される。
【００５０】
更に原稿Ｓ３に引き続く原稿Ｓ４は前記した原稿Ｓ２と同様に搬送されるように制御される。以降、原稿Ｓ５、Ｓ６、・・・は前記した原稿Ｓ３又は原稿Ｓ４と同様に搬送が制御される。
【００５１】
また、原稿Ｓ１、Ｓ２がＡ３、Ｂ４等の大サイズである場合、図２（ｂ）のように、搬送経路３１を通って、図２（ａ）と同様にして原稿Ｓ１，Ｓ２の原稿画像を読み取る。なお、原稿トレイ２０には原稿が載置されると載置された原稿の原稿サイズを検知する機構を設けることが好ましく、この検知された原稿の原稿サイズ情報に基づいて図６（ａ）、（ｂ）に示すように切替ガイド４０を切り替えるように制御する。
【００５２】
上述の図２（ａ）、（ｂ）の何れの場合でも、原稿Ｓ１、Ｓ２の一面（片面）から第２の読取部１２及び第１の読取部１１で読み取られた２頁分の画像データは、図７の第２の画像処理部５８又は第１の画像処理部５７に送られて同時期に圧縮処理、データ変換等の画像処理がなされた後にメモリ５９に記憶される。
【００５３】
図２で読み取りのための原稿が多数ある場合には、図２（ｃ）の表のように、第２の読取部１２で１，３，５，・・・の各奇数頁を順に読み取り、第１の読取部１１で２，４，６，・・・の各偶数頁を順に読み取り、第１の画像処理部５７又は第２の画像処理部５８に送られて、ほぼ同時期に１，２頁のそれぞれの画像処理がなされた後にメモリ５９に記憶され、引き続く３、４頁も同様にほぼ同時期に３，４頁の画像処理がなされた後にメモリ５９に記憶され、といったように２頁づつ順次ほぼ同時期に複数の原稿画像が読み取られて画像処理がなされ、その後にメモリ５９に記憶される。
【００５４】
以上のように、複数枚の原稿を順次搬送し、複数の読取部、例えば２つの読取部１１，１２にてほぼ同時期に複数の各原稿画像を読み取り、複数の画像処理部、例えば第１の画像処理部５７、第２の画像処理部５８にてほぼ同時期に複数の画像処理がなされるため、複数の片面の原稿を効率的に読み取ることができ、画像形成（複写）の生産性の向上となる。更に、読み取り時以外の原稿の搬送速度を読み取り時よりも高速とすることにより、複数の片面の原稿を一層効率的に読み取ることができ、生産性の一層の向上となる。
【００５５】
２．モノクロモードで両面である場合の動作（図３）
図３（ａ）に示すように、複数枚のモノクロ（白黒）原稿Ｓ１、Ｓ２のそれぞれの両面、即ち、原稿Ｓ１の表面（Ｓ１−１）と裏面（Ｓ１−２）、原稿Ｓ２の表面（Ｓ２−１）と裏面（Ｓ２−２）の原稿画像を読み取る場合、図７の操作表示部６６のモード選択部６７にて両面モードを選択する。両面モードが選択されると両面モードで動作することととなり、原稿トレイ２０から１枚目の原稿Ｓ１を給送ローラ１９にて送り込み、第１の搬送速度にて第１の読取部の近傍まで搬送される。第１の読取部１１の近傍に設けられたセンサＫ１により原稿Ｓ１の先端が検知されると原稿Ｓ１の搬送速度をモノクロ原稿読み取りのための搬送速度である第２の搬送速度に切り替え、搬送ローラ２１、２２により搬送しながらセンサＫ１により原稿Ｓ１の先端が検知された情報に基づき原稿Ｓ１の先端位置にタイミングを合わせて第１の読取部１１にて原稿Ｓ１の表面Ｓ１−１の原稿画像が読み取られる。
【００５６】
第１の読取部１１にて表面Ｓ１−１の原稿画像が読み取られた後に、原稿Ｓ１は、第２の搬送速度から第１の搬送速度に切り替えられて搬送路３３に搬送される。搬送路３３に搬送された原稿Ｓ１は後端が第１の反転ローラ対２７近傍に達したところでセンサＫ３により後端が検知され、後端の検知情報に基づき第１の反転ローラ対２７に挟持された状態で第１の反転ローラ対２７の回転方向が切り替えられ、反転搬送されて第２の読取部１２へと搬送される。第２の読取部１２の近傍まで搬送され、第２の読取部１２の近傍に設けられたセンサＫ２により原稿Ｓ１の先端が検知されると、原稿Ｓ１の搬送速度をモノクロ原稿読み取りのための搬送速度である第２の搬送速度に切り替え、搬送ローラ２３、２４により搬送しながらセンサＫ２により原稿Ｓ１の先端が検知された情報に基づき原稿Ｓの先端位置にタイミングを合わせて第２の読取部１２にて原稿Ｓ１の裏面Ｓ１−２の原稿画像を読み取る。第２の読取部１２にて裏面Ｓ１−２の原稿画像が読み取られた後の原稿Ｓ１は、第２の搬送速度から第３の搬送速度に切り替えられて、搬送ローラ２４、搬送方向切替部材４３、４４により搬送経路３７に案内して搬送され、原稿Ｓ１の後端が第２の反転ローラ対２８近傍に達したところでセンサＫ４により後端が検知され、後端の検知情報に基づき第２の反転ローラ対２８に挟持された状態で第２の反転ローラ対２８の回転方向が切り替えられ、反転搬送されて搬送方向切替部材４４により上方の排紙ローラ２５に向けて案内され、排紙ローラ２５にて排出されて排紙トレイ３０上に表面Ｓ１−１が下面になるように順次積載される。
【００５７】
次の原稿Ｓ２は、原稿Ｓ１の搬送中に引き続いて同様に送り出され、第１の搬送速度にて第１の読取部の近傍まで搬送される。第１の読取部１１の近傍に設けられたセンサＫ１により原稿Ｓ２の先端が検知されると原稿Ｓ２の搬送速度をモノクロ原稿読み取りのための搬送速度である第２の搬送速度に切り替え、搬送ローラ２１、２２により搬送しながらセンサＫ１により原稿Ｓ２の先端が検知された情報に基づき原稿Ｓ２の先端位置にタイミングを合わせて第１の読取部１１にて原稿Ｓ２の表面Ｓ２−１の原稿画像が読み取られる。
【００５８】
第１の読取部１１にて表面Ｓ２−１の原稿画像が読み取られた後の原稿Ｓ２は、前記原稿Ｓ１と同様にして以降の搬送、第２の読取部での裏面Ｓ２−２の原稿画像の読み取り、および排紙トレイ３０上への排紙がなされる。
【００５９】
上述した複数の原稿Ｓ１の裏面Ｓ１−２の第２の読取部での読み取りと原稿Ｓ２の表面Ｓ２−１の第１の読取部での読み取りにおいては、ほぼ同時に読み取りが実行されるように原稿Ｓ１、Ｓ２の搬送が制御される。即ち、先の原稿である原稿Ｓ１が第２の読取部１２の近傍に到達すると同じ時刻に、後の原稿である原稿Ｓ２が第１の読取部１１の近傍に到達するように搬送が制御される。
【００６０】
更に、原稿Ｓ２に引き続く原稿Ｓ３は、原稿Ｓ２と同様に搬送され両面が読み取られる（図３（ｂ））。
【００６１】
上述のようにして、例えば原稿Ｓ１の裏面Ｓ１−２と原稿Ｓ２の表面Ｓ２−１からの第２の読取部１２および第１の読取部１１で読み取られたそれぞれの２頁分の画像データは、図７の第２の画像処理部５８又は第１の画像処理部５７にそれぞれ送られて同時期に圧縮処理、データ変換等の画像処理がなされた後にメモリ５９に記憶される。
【００６２】
図３で読み取りのための原稿が多数ある場合には、図３（ｃ）の表のように、第１の読取部１１で１，３，５，・・・のように各原稿の表面の各頁を順に読み取り、第２の読取部１２で２，４，６，・・・のように各原稿の裏面の各頁を順に読み取り、第１の画像処理部５７又は第２の画像処理部５８に送られて、ほぼ同時期に先の原稿の裏面の頁と後の原稿の表面の頁のそれぞれの画像処理がなされた後にメモリ５９に記憶される。
【００６３】
この場合において、図３（ｃ）にも示すように、最初の原稿Ｓ１の表面Ｓ１−１および最後の原稿の裏面の読み取りにおいては、それぞれ第１の読取部１１又は第２の読取部１２での単独の読み取りを行い、同時期での読み取りを行わない。
【００６４】
以上のように、複数枚の原稿を順次搬送し、複数の読取部、例えば２つの読取部１１，１２にてほぼ同時期に複数枚の原稿の両面の各原稿画像を同時期に読み取り、複数の画像処理部、例えば第１の画像処理部５７、第２の画像処理部５８にてほぼ同時期に複数の画像処理がなされるため、複数枚の両面の原稿を効率的に読み取ることができ、画像形成（複写）の生産性の向上となる。更に、読み取り時以外の原稿の搬送速度を読み取り時よりも高速とすることにより、複数の片面の原稿を一層効率的に読み取ることができ、生産性の一層の向上となる。
【００６５】
３．カラーの片面原稿である場合（図４）
図４（ａ）に示すように、複数枚のカラー原稿Ｓ１、Ｓ２の原稿画像を読み取る場合、図７の操作表示部６６のモード選択部６７にてカラーモードを選択するとカラーモードで動作することととなり、原稿トレイ２０から１枚目の原稿Ｓ１を給送ローラ１９にて送り込み、第１の読取部１１の近傍まで搬送する。第１の読取部１１の近傍に設けられたセンサＫ１により原稿Ｓ１の先端が検知されると原稿Ｓ１の搬送速度を画像判別の読み取りのための搬送速度である第５の搬送速度に切り替え、搬送ローラ２１、２２により搬送しながらセンサＫ１により原稿Ｓ１の先端が検知された情報に基づき原稿Ｓ１の先端位置にタイミングを合わせて第１の読取部１１にて原稿Ｓ１の一面（片面）の原稿画像を読み取る。
【００６６】
第１の読取部１１で読み取られた原稿Ｓ１の画像データは、第１の画像処理部４７へ送られ、更に判別部６１にて画像判別の処理が行われる。この画像判別としては、カラー原稿か、モノクロ原稿かの判別を行い、この判別結果に基づいて制御部６４はモータ６５の駆動を制御して搬送ローラ２３，２４の回転速度を変えることにより、第２の読取部１２での読み取りのための搬送速度を、カラー原稿である場合には低速の第４の搬送速度に、モノクロ原稿である場合には中速の第２の搬送速度に制御する。
【００６７】
第１の読取部１１にて画像判別のための一面（片面）の原稿画像が読み取られた後の原稿Ｓ１は、第５の搬送速度から第３の搬送速度に切り替えられて、第２の読取部１２の近傍まで搬送され、第２の読取部１２の近傍に設けられたセンサＫ２により原稿Ｓ１の先端が検知されると、原稿Ｓ１の搬送速度を、原稿Ｓ１がカラー原稿である場合にはカラー原稿読み取りのための搬送速度である第４の搬送速度に切り替え、或いは原稿Ｓ１がモノクロ原稿である場合にはモノクロ原稿読み取りのための搬送速度である第２の搬送速度に切り替え、搬送ローラ２３、２４により搬送しながら前記センサＫ２により原稿Ｓ１の先端が検知された情報に基づき原稿Ｓ１の先端位置にタイミングを合わせて第２の読取部１２にて原稿Ｓ１のカラー又はモノクロの原稿画像が読み取られる。
【００６８】
第２の読取部１２にて原稿画像が読み取られた後の原稿Ｓ１は、第４の搬送速度又は第２の搬送速度から第３の搬送速度に切り替えられて、搬送ローラ２４、搬送方向切替部材４３、４４により排紙搬送路３６に案内して搬送され、排紙ローラ２５にて排出されて排紙トレイ３０上に読み取られた一面が下面になるように順次積載される。
【００６９】
次の原稿Ｓ２は、原稿Ｓ１の搬送中に引き続いて同様に送り出され、第１の搬送速度にて第１の読取部の近傍まで搬送される。第１の読取部１１の近傍に設けられたセンサＫ１により原稿Ｓ２の先端が検知されると原稿Ｓ２の搬送速度を画像判別の読み取りのための搬送速度である第５の搬送速度に切り替え、搬送ローラ２１、２２により搬送しながら前記センサＫ１により原稿Ｓ１の先端が検知された情報に基づき原稿Ｓ１の先端位置にタイミングを合わせて第１の読取部１１にて原稿Ｓ２の一面（片面）の原稿画像を読み取る。
【００７０】
第１の読取部１１にて原稿Ｓ２の原稿画像が読み取られた後の原稿Ｓ２は、前記原稿Ｓ１と同様にして以降の搬送、第２の読取部での原稿画像の読み取り、および排紙トレイ３０上への排紙がなされる。
【００７１】
上述した複数の原稿Ｓ１の原稿画像の読み取りのための第２の読取部での読み取りと、原稿Ｓ２の画像判別のための第１の読取部での読み取りにおいては、ほぼ同時に読み取りが実行されるように原稿Ｓ１、Ｓ２の搬送が制御される。即ち、先の原稿である原稿Ｓ１が第２の読取部１２の近傍に到達すると同じ時刻に、後の原稿である原稿Ｓ２が第１の読取部１１の近傍に到達するように搬送が制御される。
【００７２】
更に原稿Ｓ２に引き続く原稿Ｓ３は、原稿Ｓ２と同様に搬送され画像判別がなされ、画像判別結果に従って原稿画像が読み取られる。
【００７３】
上述のようにして、例えば原稿Ｓ１の第２読取部１２での原稿画像の読み取りと原稿Ｓ２の第１の読取部１１で画像判別のために読み取られたそれぞれの読み取り画像データおよび画像判別のための画像データは、それぞれ図７の第２の画像処理部５８又は第１の画像処理部５７にそれぞれ送られて同時期に圧縮処理、データ変換等の画像処理、又は画像判別処理がなされ、メモリ５９に記憶されると共に、判別結果に基づいた制御部による原稿の搬送制御がなされる。
【００７４】
図４で読み取りのための原稿が多数ある場合には、図４（ｂ）の表のように、第１の読取部１１で１，２，３，・・・のように各原稿の各頁を順に読み取り画像判別を行った後に、判別結果に基づいて第２の読取部１２で１，２，３，・・・のように各原稿の各頁を順に読み取り、第１の画像処理部５７又は第２の画像処理部５８に送られて、ほぼ同時期に先の原稿の画像処理と後の原稿の画像判別の処理が同時期になされる
この場合において、図４（ｂ）にも示すように、最初の原稿Ｓ１の画像判別のための読み取りおよび最後の原稿の原稿画像の読み取りにおいては、それぞれ第１の読取部１１又は第２の読取部１２での単独の読み取りを行い、同時期での読み取りを行わない。
【００７５】
以上のように、複数枚のカラー原稿を順次搬送し、複数の読取部、例えば２つの読取部１１，１２にてほぼ同時期に複数枚の原稿の各原稿画像を同時期に読み取り、複数の画像処理部、例えば第１の画像処理部５７に付設された判別部６１にて画像判別を行い、第２の画像処理部５８にてほぼ同時期に読み取られた画像データの画像処理がなされるため、複数枚のカラー原稿を効率的に読み取ることができ、画像形成（複写）の生産性の向上となる。更に、読み取り時以外の原稿の搬送速度を読み取り時よりも高速とすることにより、複数のカラー原稿を一層効率的に読み取ることができ、生産性の一層の向上となる。
【００７６】
また、モノクロ原稿とカラー原稿が混在していても、モノクロ原稿か、カラー原稿かを判別部６１にて判別することで、モノクロ原稿およびカラー原稿のそれぞれに適した読み取りの搬送速度を適用することができ、更に一層のカラー原稿の画像形成（複写）の生産性の向上となる。
【００７７】
４．カラーの両面原稿である場合（図５）
図５（ａ）に示すように、複数枚のカラーの両面原稿Ｓ１、Ｓ２の原稿画像を読み取る場合、図７の操作表示部６６のモード選択部６７にてカラーモードおよび両面モードを選択するとカラー両面モードで動作することととなる。この場合において、１枚目の原稿Ｓ１の表面Ｓ１−１の第２の読取部１２までの原稿の搬送、および次の原稿Ｓ２の表面Ｓ２−１の第１の読取部１１での画像判別のための読み取りまでの原稿Ｓ１、Ｓ２の搬送は、前述したカラーの片面原稿である場合と同様に搬送するように制御される。
【００７８】
第２の読取部１２にて原稿画像が読み取られた後の原稿Ｓ１は、第４の搬送速度又は第２の搬送速度から第３の搬送速度に切り替えられて、搬送ローラ２４、搬送方向切替部材４３により搬送経路３５に案内され、引き続く搬送経路３４へ搬送される（図５（ｂ））。原稿Ｓ１の後端が搬送経路３３に設けた第３の反転ローラ対２９近傍に達したところでセンサＫ５により後端が検知され、後端の検知情報に基づき第３の反転ローラ対２９に挟持された状態で第３の反転ローラ対２９の回転方向が切り替えられ、反転搬送されて搬送方向切替部材４５により上方に案内され、第１の読取部１１へ循環搬送される。第１の読取部１１へ循環搬送された原稿Ｓ１の裏面Ｓ１−２は、以降の第２の読取部１２での読み取りまでは前記した表面Ｓ１−１と同様になされる。
【００７９】
この原稿Ｓ１の裏面Ｓ１−２の第１の読取部１１での裏面Ｓ１−２の画像判別のための読み取り時において、次の原稿Ｓ２の表面Ｓ２−１の第２の読取部１２での原稿画像の読み取りが行われるようにそれぞれ原稿Ｓ１、Ｓ２を搬送するように制御する。
【００８０】
更に、原稿Ｓ１の裏面Ｓ１−２の第２の読取部１２での裏面Ｓ１−２の原稿画像の読み取り時と同時期に、次の原稿Ｓ２の裏面Ｓ２−２の第１の読取部１１での画像判別のための読み取りが行われるようにそれぞれ原稿Ｓ１、Ｓ２をそれぞれ搬送又は循環搬送する。
【００８１】
第２の読取部１２にて両面の原稿画像が読み取られた後の原稿Ｓ１は、第４の搬送速度又は第２の搬送速度から第３の搬送速度に切り替えられて、搬送ローラ２４、搬送方向切替部材４３、４４により搬送経路３７に案内して搬送され、原稿Ｓ１の後端が第２の反転ローラ対２８近傍に達したところでセンサＫ４により後端が検知され、後端の検知情報に基づき第２の反転ローラ対２８に挟持された状態で第２の反転ローラ対２８の回転方向が切り替えられ、反転搬送されて搬送方向切替部材４４により上方の排紙ローラ２５に向けて案内され、排紙ローラにて排出されて排紙トレイ３０上に原稿Ｓ１の表面が下面になるように順次積載される（図５（ｃ））。
【００８２】
次の原稿Ｓ２および引き続く原稿Ｓ３は、原稿Ｓ１の排紙トレイへの搬送中に、原稿Ｓ２を第１の読取部１１から第２の読取部１２へ搬送すると共に、次の原稿Ｓ３を原稿トレイ２０から送り出し、第１の搬送速度にて第１の読取部の近傍まで搬送する。
【００８３】
第２の読取部で原稿Ｓ２の裏面Ｓ２−２の読み取りと同時期に、第１の読取部１１にて原稿Ｓ３の表面Ｓ３−１の画像判別のための読み取りを行う。
【００８４】
第２の読取部１２にて原稿Ｓ２の両面の原稿画像が読み取られた後の原稿Ｓ２は、前記原稿Ｓ１と同様にして排紙トレイ３０上への排紙がなされる。
第１の読取部１１にて原稿Ｓ３の表面Ｓ３−１の画像判別のための読み取りが行われた後の原稿Ｓ３は、前記原稿Ｓ１と同様にして以降の第２の読取部１２での表面Ｓ３−１の原稿画像の読み取り、循環搬送、第１読取部１１での裏面Ｓ３−２の画像判別のための読み取り、第２読取部１２での裏面Ｓ３−２の原稿画像の読み取り、および排紙トレイ３０上への排紙がなされる。
【００８５】
更に原稿Ｓ３に引き続く原稿Ｓ４は、原稿Ｓ２と同様に搬送され、表裏両面の画像判別、画像判別結果に従った原稿画像の読み取りが行われる。以降、原稿Ｓ１、Ｓ２と同様にして複数の２枚単位の原稿の組として同様に両面が読み取られる。
【００８６】
上述のようにして、例えば原稿Ｓ１の表面Ｓ１−１の第２読取部１２での原稿画像の読み取りと原稿Ｓ２の表面Ｓ２−１の第１の読取部１１で画像判別のために読み取られたそれぞれの読み取り画像データおよび画像判別のための画像データは、それぞれ図７の第２の画像処理部５８又は第１の画像処理部５７にそれぞれ送られて同時期に圧縮処理、データ変換等の画像処理、又は画像判別処理がなされ、メモリ５９に記憶されると共に、判別結果に基づいた制御部による原稿の搬送制御がなされる。
【００８７】
図５で読み取りのための原稿が多数ある場合には、図５（ｄ）の表のように、第１の読取部１１で１，３，２，４，・・・のように各両面原稿の各頁を順に読み取り画像判別を行った後に、判別結果に基づいて第２の読取部１２で１，３，２，４，・・・のように各両面原稿の各頁を順に読み取り、第１の画像処理部５７又は第２の画像処理部５８に送られて、ほぼ同時期に先の原稿の画像処理と後の原稿の画像判別の処理が同時期になされる。
【００８８】
この場合において、図５（ｄ）にも示すように、最初の原稿Ｓ１の表面Ｓ１−１も画像判別のための読み取りおよび最後の原稿の裏面の原稿画像の読み取りにおいては、それぞれ第１の読取部１１又は第２の読取部１２での単独の読み取りを行い、同時期での読み取りを行わない。
【００８９】
以上のように、複数枚のカラーの両面原稿を順次搬送し、複数の読取部、例えば２つの読取部１１，１２にてほぼ同時期に複数枚の両面原稿の各原稿画像を同時期に読み取り、複数の画像処理部、例えば第１の画像処理部５７に付設された判別部６１にて画像判別を行い、第２の画像処理部５８にてほぼ同時期に読み取られた画像データの画像処理がなされるため、複数枚のカラーの両面原稿を効率的に読み取ることができ、画像形成（複写）の生産性の向上となる。更に、読み取り時以外の原稿の搬送速度を読み取り時よりも高速とすることにより、複数のカラーの両面原稿を一層効率的に読み取ることができ、生産性の一層の向上となる。
【００９０】
また、モノクロ原稿とカラー原稿が混在していても、モノクロ原稿か、カラー原稿かを判別部６１にて判別することで、モノクロ原稿およびカラー原稿のそれぞれに適した読み取りの搬送速度を適用することができ、更に一層のカラー原稿の画像形成（複写）の生産性の向上となる。
【００９１】
以上のように、図１，図６，図７に示した画像読取装置によれば、モノクロモード（またはカラーモード）に固定された場合に原稿画像が片面でも両面でも、図２，図３のように、２つの読取部１１，１２で原稿画像を効率的に読み取ることができ、２つの画像処理部５７，５８で同時に画像処理を行うことができるから、より効率的な読み取り動作が可能となり、生産性を向上させることができる。また、カラーとモノクロの混在モードの場合原稿画像が片面でも両面でも、図４，図５のように、２つの読取部１１，１２で原稿画像を読み取りながらカラーかモノクロかを判別しかつ本スキャンを行うことができるから、より効率的な読み取り動作が可能となり、生産性を向上させることができ、また、判別スキャンによる判別処理を判別部６１で行うと同時に本スキャンによる画像情報の画像処理を画像処理部で行うことができ、効率的な画像処理が可能である。このように、２つの読取部を全モードでフルに活用することによって、原稿の種別（モノクロ／カラー及び両面／片面）に関わらず常に最高の生産性を実現できる画像読取装置（スキャナ）を提供することができる。
【００９２】
上述の画像読取装置の画像処理部５７，５８から画像処理信号が例えばインクジェット式や電子写真方式のプリンタに送られ、その画像処理信号に基づいてプリンタで画像が形成される。また、上述の画像読取装置が画像形成装置に内蔵された場合には、画像処理信号が図７のような画像書込装置６０に送られ、画像情報書込装置６０から例えば画像処理信号に基づいて変調されたレーザ光を感光ドラムに照射することにより画像情報を書き込み、この感光ドラムに書き込まれた画像情報を現像し、記録紙に転写することにより画像を形成する。かかる画像形成装置の例を図８により説明する。
【００９３】
図８は、画像形成装置の概略的構成を示す側面図である。図８に示す画像形成装置７０は、その上部に図１の画像読取装置を備え、図１のＣＣＤ撮像素子５６からの画像信号が送られる図７の画像書込部６０を画像読取装置の下部に備える。また、画像形成装置７０は、画像書込部６０で画像処理信号に基づいて変調されたレーザ光が露光されて潜像を形成する感光ドラム７１と、感光ドラム７１の周囲に配置された帯電器７２，現像器７３，転写器７４，７５，クリーニング部７６とを備える。
【００９４】
図８の画像形成装置７０では、次のようにして画像が記録紙３０に形成される。画像書込部６０からのレーザ光が回転中の感光ドラム７１に露光されて潜像を形成し、この潜像が現像器７３によりトナー現像される。図８の下方の給紙カセットＯＡまたはＯＢから搬送ローラ対により図の上方に送られた記録紙３０が搬送ローラ対６１により感光ドラム７１の回転と同期してタイミングよく感光ドラム７１と転写器７４，７５との間に送られ、記録紙に現像された画像が転写される。次に、記録紙は図の矢印方向に搬送ベルト７７により搬送され、定着器７８でトナー像が定着されて記録紙上に画像が形成される。
【００９５】
記録紙は、片面の画像形成で終了の場合は、搬送方向切替部材８１の作動により搬送ローラ対８５により排出部８０に排出される。また、記録紙の反対面にも画像を形成する場合には、搬送方向切替部材８１が作動して記録紙が反転ローラ対８２等により下方の反転部８３に送られてから上方に送られて搬送部８４を通り、感光ドラム７１の下方に反転した状態で搬送され、同様にして反対面に画像が形成されてから排出部８０に排出される。
【００９６】
以上のように本発明を実施の形態により説明したが、本発明はこれらに限定されるものではなく、本発明の技術的思想の範囲内で各種の変形が可能である。例えば、第１の読取部１１をＣＣＤ撮像素子から構成してもよく、また、第２の読取部１２をコンパクトイメージセンサ（ＣＩＳ）から構成してもよい。また、カラー画像を読み取る読取速度を複数段階に設定してもよい。
【図面の簡単な説明】
【００９７】
【図１】本発明の実施の形態による画像読取装置の概略的構成を示す側面図である。
【図２】図１の画像読取装置によりモノクロモードで片面原稿を読み取る場合の動作を順に説明するための側面図（ａ）、（ｂ）及び表（ｃ）である。
【図３】図１の画像読取装置によりモノクロモードで両面原稿を読み取る場合の動作を順に説明するための側面図（ａ）、（ｂ）及び表（ｃ）である。
【図４】図１の画像読取装置によりカラーとモノクロの混在モードで片面原稿を読み取る場合の動作を順に説明するための側面図（ａ）及び表（ｂ）である。
【図５】図１の画像読取装置によりカラーとモノクロの混在モードで両面原稿を読み取る場合の動作を順に説明するための側面図（ａ）、（ｂ）、（ｃ）及び表（ｄ）である。
【図６】図１の画像読取装置に設けられる原稿の搬送方向切替部材の例を示す図（ａ）、（ｂ）である。
【図７】本実施の形態の画像読取装置および画像形成装置において読み取られた画像データと制御信号の流れおよび制御部のブロック図である。
【図８】本実施の形態の画像形成装置の概略的構成を示す側面図である。
【符号の説明】
【００９８】
１１  第１の読取部
１２  第２の読取部
２１〜２５  搬送ローラ対（搬送機構）
３１  大サイズ用搬送路
３２  小サイズ用搬送路
３３  表裏反転搬送路
３４  第１の循環表裏反転搬送路
３５  第２の循環表裏反転搬送路
３７  反転排紙搬送路
５７  第１の画像処理部
５８  第２の画像処理部
５９  メモリ
６０  画像書込部
６１  判別部
６４  制御部
６５  モータ
６６  操作表示部
６７  モード選択部
７０  画像形成装置
Ｓ、Ｓ１〜Ｓ４  原稿
Ｓ１−１  原稿Ｓ１の表面
Ｓ１−２  原稿Ｓ１の裏面
Ｓ２−１  原稿Ｓ２の表面
Ｓ２−２  原稿Ｓ２の裏面
【図１】
2006276868.tif 000003
【図２】
2006276868.tif 000004
【図３】
2006276868.tif 000005
【図４】
2006276868.tif 000006
【図５】
2006276868.tif 000007
【図６】
2006276868.tif 000008
【図７】
2006276868.tif 000009
【図８】
2006276868.tif 000010